(57)【要約】【課題】可とう管を必要とすることなく照射方向を変更することができる照明装置を提供する。【解決手段】光源装置１と、この光源装置１からの光を一端部２から導入して所要の照射部３へ他端部４から照射する光ファイバ５とを備えてなる照明装置において、光ファイバ５の他端部４に光の反射により光の方向を変更する照射方向変更装置６を設けている。照射方向変更装置６は光ファイバ５の光軸に垂直な軸の回りに回動可能な反射板を有する。【選択図】  図１
2006210364.tif 000002
【特許請求の範囲】
【請求項１】
光源装置と、この光源装置からの光を一端部から導入して所要の照射部へ他端部から照射する光ファイバとを備えてなる照明装置において、前記光ファイバの前記他端部に光の反射および屈折の少なくとも一方により光の方向を変更する照射方向変更装置を設けたことを特徴とする照明装置。
【請求項２】
前記照射方向変更装置は前記光ファイバの光軸に垂直な軸の回りに回動可能な反射板を有する請求項１記載の照明装置。
【請求項３】
前記照射方向変更装置は前記光ファイバの他端部と前記反射板との間に集光レンズを介在した請求項２記載の照明装置。
【請求項４】
前記照射方向変更装置は前記光ファイバに対して前記光ファイバの光軸回りに回転可能に配設された請求項１記載の照明装置。
【請求項５】
前記光ファイバは前記他端部が上端となるように立設される請求項１記載の照明装置。
【請求項６】
前記照射方向変更装置は前記光ファイバの他端部と前記反射板との間にフィルタを介在している請求項２記載の照明装置。
【請求項７】
前記照射方向変更装置は照射方向変更用レンズを有する請求項１記載の照明装置。
【請求項８】
前記照射方向変更装置は支柱により取付面に立設され、前記支柱は取付面から照射方向変更装置への距離可変に形成される請求項１記載の照明装置。
【請求項９】
前記支柱は径の異なる複数のユニットからなり、前記支柱の先端部ほど小径となるように互いに小径ユニットを大径ユニット内に収納可能にして伸縮自在に形成された請求項８記載の照明装置。
【請求項１０】
前記支柱は取付面に出没自在に立設された請求項８記載の照明装置。
【請求項１１】
前記照射方向変更装置は前記光ファイバの前記他端部に外嵌めされる本体の内側に、網状体からなるバッフルを有する請求項１記載の照明装置。
【発明の詳細な説明】
【技術分野】
【０００１】
この発明は、例えばボックス内の展示物を照明する場合などに適用される照明装置に関するものである。
【背景技術】
【０００２】
従来の光ファイバ用の照明装置における照射方向変更装置は、図１１のような可とう管５０を用いたものが主流となっており、この可とう管５０の中に光ファイバ５１を挿入して管５０の端部にてねじ留めなどにより固定している。
【特許文献１】特開平８−２８６０４４号公報
【発明の開示】
【発明が解決しようとする課題】
【０００３】
しかし、光ファイバ５１の固定方法に工具が必要であった。また可とう管５０の構造上内径と外径の差が大きいため、内蔵のファイバ径に対して、可とう管５０の外径はかなり大きいものとなり、意匠状好ましくなかった。
【０００４】
さらに、光の照射方向を変更する際には、可とう管５０を曲げて管５０の端部を照射したい方向に向けるために可とう管５０のストロークを長く取る必要があった。そして同じ理由から、空間的スペースも多く必要となっていた。さらには、光ファイバ５１の許容曲げ半径以上に可とう管５０を曲げると、光ファイバ５１の破断あるいは破損ひいては取り出せる光の量の減少へとつながる。
【０００５】
したがって、この発明の目的は、可とう管を必要とすることなく照射方向を変更することができる照明装置を提供することである。
【課題を解決するための手段】
【０００６】
この発明の照明装置は、光源装置と、この光源装置からの光を一端部から導入して所要の照射部へ他端部から照射する光ファイバとを備える。この照明装置において、前記光ファイバの前記他端部に光の反射および屈折の少なくとも一方により光の方向を変更する照射方向変更装置を設けたことを特徴とするものである。
【０００７】
上記構成において、前記照射方向変更装置が前記光ファイバの光軸に垂直な軸の回りに回動可能な反射板を有するものである。
【０００８】
上記構成において、前記照射方向変更装置が前記光ファイバの他端部と前記反射板との間に集光レンズを介在したものである。
【０００９】
上記構成において、前記照射方向変更装置が前記光ファイバに対して前記光ファイバの光軸回りに回転可能に配設されたものである。
【００１０】
上記構成において、前記光ファイバが前記他端部が上端となるように立設されるものである。
【００１１】
上記構成において、前記照射方向変更装置が前記光ファイバの他端部と前記反射板との間にフィルタを介在したものである。
【００１２】
上記構成において、フィルタにより演色性の改善や色温度の調整をすることができる。
【００１３】
上記構成において、前記照射方向変更装置が照射方向変更用レンズを有するものである。
【００１４】
上記構成において、前記照射方向変更装置が支柱により取付面に立設され、前記支柱は取付面から照射方向変更装置への距離可変に形成されるものである。
【００１５】
上記構成において、前記支柱が径の異なる複数のユニットからなり、前記支柱の先端部ほど小径となるように互いに小径ユニットを大径ユニット内に収納可能にして伸縮自在に形成されたものである。
【００１６】
上記構成において、前記支柱は取付面に出没自在に立設されたものである。
【００１７】
上記構成において、前記照射方向変更装置が光ファイバの他端部に外嵌めされる本体の内側に、網状体からなるバッフルを備えるものである。
【発明の効果】
【００１８】
この発明の照明装置によれば、照射方向変更装置により、可とう管を必要とすることなく照射方向を変更することができる。
【００１９】
照射方向変更装置が前記光ファイバの光軸に垂直な軸の回りに回動可能な反射板を有するため、反射板の首振りにより照射方向が可変となる。
【００２０】
前記照射方向変更装置が前記光ファイバの他端部と前記反射板との間に集光レンズを介在したものであるため、反射板に入射する光のロスを少なくでき、反射板の面積を小さくすることができる。
【００２１】
前記照射方向変更装置が前記光ファイバに対して前記光ファイバの光軸回りに回転可能に配設されたため、光ファイバの光軸回り方向の照射が可変になる。
【００２２】
前記照射方向変更装置が前記光ファイバの他端部と前記反射板との間にフィルタを介在したものであるため、フィルタにより演色性の改善や色温度の調整をすることができる。
【００２３】
前記照射方向変更装置が支柱により取付面に立設され、前記支柱は取付面から照射方向変更装置への距離可変に形成されるため、高さ調節が可能となる。
【００２４】
前記照射方向変更装置が光ファイバの他端部に外嵌めされる本体の内側に、網状体からなるバッフルを備えるため、本体内の不快グレアをカットすることができる。
【発明を実施するための最良の形態】
【００２５】
（実施の形態１）
この発明の第１の実施の形態を図１から図６より説明する。図１は全体の外観図を示し、照明装置は、例えば光学ボックスを用いた光源装置１と、この光源装置１からの光を下端部となる一端部２から導入して所要の照射部３へ上端部となる他端部４から照射する光ファイバ５と、光ファイバ５の他端部４に光の方向を変更する照射方向変更装置６を設けている。７は照射部３を透視するための透明箱であり、底板９より上の周壁および天壁を透明とし、底板９より低い部分は不透明にしている。透明箱７の底板９の下側に光源装置１を収納し、照射部３は底板９上の中央部に配置し、光ファイバ５は光源装置１に４本接続されている。８は各光ファイバ５の他端部４を通す照明端末部材であり、透明箱７の各コーナ部に配置している。
【００２６】
図２は、照射方向変更装置６を示し、この装置は、ファイバ端部からの光を集光制御するための集光レンズ１０、集光レンズ１０を透過した光でグレア光となる不要な方向への光の遮光のためのグレアカット部材１１、レンズ透過光を受けて、光を欲しい方向へと導くための例えば反射鏡からなる反射板１２、さらにこれら全ての部材を一体化するための本体１３から成る。本体１３は照明端末部材８の主柱管８ａの端部に光軸周りに回転自在に取付けられている。実施の形態の本体１３は筒状であり主柱管８ａの端部に回転自在に外嵌して支持される凹部１４を形成している。反射板１２は本体１３にアーム１５を介して本体１３の光ファイバ５の光軸に垂直な軸すなわち、径方向の軸１６に平行に取付けられ回動自在になって照射方向を可変にしている。これにより、照射方向変更装置６が鉛直面内首振り可能すなわち、光軸に垂直な軸１６の回りに回動可能に形成される。したがって、光ファイバ端部からの光が鉛直方向上向きに対し、反射板１２の位置が水平４５°方向の場合に、反射光は水平方向０°に導かれるが、反射板１２を動かすことにより、水平方向に対して上下３０〜４０°程度の範囲で照射方向を変更させて導くことができる。
【００２７】
反射板１２は軸１６の方向を短軸方向とする楕円形ないし長円形状をなし、反射板１２の首振り位置にかかわらずレンズ透過光を漏れなく捉えるようにしている。ただし反射板形状については特定するものではない。また反射板１２は表面に薄いシート等を貼り付けるか、あるいは鏡面／拡散仕上などで処理されている。このように、反射板１２の表面に薄いシート等を貼り付けることにより、さまざまな光のひろがり（配光形状）をつくりだすことができる。シートはプラスチックシートにアルミ蒸着あるいは銀蒸着、さらには拡散処理などを施したものなどを用い、使用用途ごとに適したものを選んで使用する。
【００２８】
照射方向変更装置６の本体１３の内部には、上記したように、光ファイバ５と反射板１２の間に材質がプラスチックガラスなどの集光レンズ１０を介在させている。光ファイバ５からの出射光は３０〜３５（両側６０〜７０°）程度の広がりを持った光であり、この光を反射板１２で捉えるためには反射板１２の大きさはかなり大きく取る必要がある。しかし、集光レンズ１０で集光することにより、レンズ透過後の光は広がりを大幅に抑えたものとなり、効率よく反射板１２にあたることになり、また反射板１２の大きさも最小限に抑えることができる。
【００２９】
また本体内部にはレンズ透過光のうちのグレアの原因となる漏れ光をカットするための部材すなわちグレアカット部材１１が内蔵されており、集光レンズ１０で進路方向を制御された光だけが効率よく反射板へ導かれる。このグレアカット部材１１は本体１３への集光レンズ１０の固定の役割もになう。
【００３０】
このように、光ファイバ５からの出射光は、集光レンズ１０を通すことにより集光制御されるため、グレアカット部材１１にあたる光ロスを最小限に抑えることができ、的確に反射板１２に光を集めることができ、ひいては反射板１２による照射方向の変更が容易となった。
【００３１】
また、図３に示すように、光ファイバ５は主柱管８ａの中を通り、主柱管８ａの上端部で固定される。それに対して照射方向変更装置６は先述のようにまったくの独立体であり、光ファイバ５を固定した主柱管８ａの上から挿入される。そのため照射方向変更装置６を光ファイバ５の光軸方向に回転させても、光ファイバ５には力は加わらず、したがって照射方向変更による光ファイバ５のねじれ、ひいては破断（破損）を防止することができた。このように本体１３は、光ファイバ自体からは完全に独立している構造のため、光ファイバ５の軸方向（鉛直方向）に対する本体１３の回転動作は自由にでき、より広い範囲の光照射が可能となった。
【００３２】
図４は、反射板１２の反射光が水平に対して下方向きに傾いた状態である。この場合、光が反射板１２に当たる範囲１８ａは図３（ｂ）に示すようにグレアカット部材１１の端面の内形状に近づいてくる。図５は反射板１２の反射光が水平方向に対して上方向きに傾いた状態である。この場合、光が反射板１２に当たる範囲１８ｂは図４（ｂ）に示すように細長い形となり、照射範囲が拡がる。
【００３３】
図６に示すように、本体１３は先端部の反射鏡１２による光照射側が低く形成されている。実施の形態では、筒状の本体１３の出射口１３ａをその光出射側が低くなるように傾斜１９をつけた形状となっている。このことにより、反射板１２で反射した光がカットされること無く直進することができる。また図６（ｂ）に示すように照射部３にカットによる影Ｑが出ることを防ぐことができる。
【００３４】
さらには図６（ａ）に示すように展示等の鑑賞者Ｐが透明箱７を見る状態でこの本体１３の出射口１３ａの方をみたときに、出射口１３ａの内壁が光の不快グレアを出していることが問題となっていた。しかし本実施の形態の様に、この出射口１３ａの内壁の高さを低くつくれば、不快グレアを大幅に減少させることができる。
【００３５】
第１の実施の形態によれば、照射方向変更装置６により光ファイバ５からの出射光の方向の変化を、コンパクトな装置内で行うことができる。またグレアカット部材１１により光ファイバ５からの光による不快グレアを最小限に抑えることができる。さらに、照射方向変更装置６を光ファイバ５と独立に設けたため、光ファイバ５を損傷させることなく照射方向の調節ができ、かつ光照射高さ違いの主柱管８ａの交換が容易にできる。また照射口１３ａの傾斜１９により装置からの光がアタッチメント出射口１３ａでカットされずに出射される。また内壁で生じる不快グレアを大幅に減少できる。
【００３６】
（実施の形態２）
この発明の第２の実施の形態を図７に示す。本体１３の内部において、光ファイバ５の出射端部と反射板１２の間に各種フィルタ２１を介在している。演色性改善フィルタを入れれば透過した光の演色性が改善でき、また色温度変換フィルタを入れれば、透過光の色温度を変えることができる。光ファイバ５として特にプラスチック性の光ファイバ５を用いた場合や、光源としてＨＩＤ系のランプを用いたときには、演色性を改善する必要のある場合がある。また光源独自の色温度を、当照明装置を出た後で好みの色温度に調整するのに便利である。
【００３７】
これらのフィルタ２１は光ファイバ５の端部に近接させるか、あるいはレンズ集光した後に用いれは、フィルタ２１を小さくまとめることができ、したがって照射方向変更装置自体も小型のままで実現が可能となる。
【００３８】
第２の実施の形態によれば、ファイバ出射光の演色性や色温度を簡単にコンパクトに調節ができる。
【００３９】
（実施の形態３）
この発明の第３の実施の形態を図８に示す。すなわち、この照明装置の照射方向変更装置６は、光ファイバ５から出た光を集光制御する集光レンズ１０と、光の進路を変えるための照射方向変更用レンズ２３、およびこれらを一体化させる本体１３からなり、本体１３には照射方向変更用レンズ２３により向きを変えられた光が本体１３から外部へ出ていくための窓（切り口）２４がある。窓２４にも第１の実施の形態で示した傾斜１９を付けている。光ファイバ５から出た光を集光レンズ１０でコンパクトに集光しているため、照射方向変更用レンズは小さい形状でまとめることができ、したがって装置本体も小さくすることができる。
【００４０】
また照射方向変更用レンズ２３は本体１３あるいは光ファイバ５に対して、向きを変えられるように、軸１６により本体１３に回動可能に取付けられた構造となっており、したがって光の照射方向も欲しい方向にもっていくことができる。
【００４１】
さらに装置本体１３は第１の実施の形態と同様に凹部１４で主柱管８ａに外嵌しており、光ファイバ５に対して完全に独立自由な構造のため、光ファイバ５をねじったり、破損させること無く、光の照射方向をファイバ軸方向にも自在に変えることができる。
【００４２】
第６の実施の形態によれば、照射方向変更レンズ２３の可動により簡単に出射光の方向を変えることができる。
【００４３】
（実施の形態４）
この発明の第４の実施の形態を図９に示す。実際の展示等による照明展示では被照射部３の高さの違い、あるいは光照射の必要な高さが違うことがある。このような場合に光照射の高さを簡単に変更させるための手段を示す。すなわち、照射方向変更装置６は支柱２５により底板９の取付面に立設され、支柱２５は取付面から照射方向変更装置６への距離を可変に形成される。形態はアンテナ構造式と埋込スライド式の２つを示す。
【００４４】
アンテナ構造式は図９（ａ）に示すように底板９の取付面から照射方向変更装置６までの高さを可変にするために、支柱２５が径の異なる複数のユニットからなり、支柱２５の先端部ほど小径となるように互いに小径ユニット２６ａ、２６ｂを大径ユニット２６ｂ、２６ｃ内に収納可能にして伸縮自在に形成されている。実施の形態では、大小複数の中空パイプ状のものを連接したものであり、このパイプの出し入れにより全体として伸縮自在構造となっている。そこで光の必要な高さのところに照射方向変更装置６の光の出射部が来るように伸縮調節し、その位置で保持される。
【００４５】
尚、光ファイバ５はこの複数の中空パイプの中を貫通して内蔵されている。
【００４６】
埋込スライド式は図９（ｂ）に示すように支柱２５が取付面に出没自在に立設される構造であり、例えば固定の長さの主柱管８ａのそれ自体が、底板９の取付面を基準に上下に出入りする構造であり、光の必要な所に照射方向変更装置６の光の出射部をあわせて保持される構造となっている。
【００４７】
保持方法は、取付面にある支柱２５のベース部２５ａの内部に、摩擦力を得るための例えば樹脂などを用いた密着ゴムが入っており、ベース部２５ａにナットを締めることにより密着ゴムを変形させて、支柱管８ａへの摩擦力を発生し、全体をホールドし、ナットを緩めて支柱２５をスライド可能にする。あるいは、より簡易にするためには、ベース部２５ａにセット用ビスを設けることでも代用できる。
【００４８】
第４の実施の形態によれば、出射光の必要な高さを簡単に自由に変えることができる。なお、照射方向変更装置６の本体１３の部分の構成は上記各実施の形態または後述の実施の形態を適用することができる。
【００４９】
（実施の形態５）
この発明の第５の実施の形態を図１０に示す。照射方向変更装置の内壁からの不快グレアを回避するためには従来、内壁を黒塗装するなどの方策がとられていたが、マスキングが必要であるなど手間がかかり、またつや消しの黒塗装を施しても、完壁にはグレアカットはなされなかった。
【００５０】
そこで、グレアカット部材１１として、シリコンガラス繊維などを交差状に編み込んだ網状体２６からなるチューブ形状にしたもので黒色のものを用い、その外側に形状保持のためのゴムチューブ２７等をかぶせることにより、全体をユニット化すれば簡単に装置内部に組み込むことができ、また網状を有するために、編み込みの一つ一つが充分に光を捉えるため、グレアカット効果が大きい。
【００５１】
なお、このグレアカット効果をうるためには、上記の交差状網状体以外に、凹凸形状や同心円の波状凹凸形状などでも代用できる。
【００５２】
従って、この網状体のグレアカット部材１１を通過した光は制御された方向だけの光であり、拡散する漏れ光を減らしてグレアを減らし、効率よく反射板１２などへ導くことができる。
【００５３】
第５の実施の形態によれば、網状のグレアカット部材１１により、簡単かつ安価に本体内壁の不快グレアを低減することができる。
【００５４】
なお、第１の実施の形態の反射板１２と第３の実施の形態のレンズ２３を組み合わせて使用することも可能である。
【図面の簡単な説明】
【００５５】
【図１】この発明の第１の実施の形態の使用状態の斜視図である。
【図２】（ａ）は照射方向変更装置の外観を示す斜視図、（ｂ）はその内部を示す斜視図である。
【図３】照射方向変更装置を主柱管から外した状態の斜視図である。
【図４】（ａ）は反射光が水平方向よりも下方の場合を示す側面図、（ｂ）は反射板に光が入射した状態の正面図である。
【図５】（ａ）は反射光が水平方向よりも上方の場合を示す側面図、（ｂ）は反射板に光が入射した状態の正面図である。
【図６】（ａ）は本体１３の出射口の傾斜を示す側面図、（ｂ）は出射口の傾斜がないときに影Ｑを作る範囲を示す側面図である。
【図７】第２の実施の形態の要部斜視図である。
【図８】第３の実施の形態の要部斜視図である。
【図９】第４の実施の形態を示し、（ａ）はアンテナ構造式の支柱をもつ照明装置の斜視図、（ｂ）は埋込スライド式の照明装置の斜視図、（ｃ）は支柱を取付面内に一部沈めた斜視図である。
【図１０】（ａ）は第５の実施の形態の斜視図、（ｂ）はそのバッフルの一部破断斜視図、（ｃ）はその概略断面図である。
【図１１】従来例の部分斜視図である。
【符号の説明】
【００５６】
１ 光学装置
２ 一端部
３ 照射部
４ 他端部
５ 光ファイバ
６ 照射方向変更装置
１０ 集光レンズ
１１ グレアカット部材
１２ 反射板
１３ 本体
１４ 凹部
１５ アーム
１６ 軸
１９ 傾斜
２１ フィルタ
２３ 照射方向変更用レンズ
２５ 支柱
２６ バッフル
【図１】
2006210364.tif 000003
【図２】
2006210364.tif 000004
【図３】
2006210364.tif 000005
【図４】
2006210364.tif 000006
【図５】
2006210364.tif 000007
【図６】
2006210364.tif 000008
【図７】
2006210364.tif 000009
【図８】
2006210364.tif 000010
【図９】
2006210364.tif 000011
【図１０】
2006210364.tif 000012
【図１１】
2006210364.tif 000013